(57)【要約】【課題】誤操作によって録画動作が停止することにより、ユーザの意図する動画が得られないことがある。【解決手段】動画記録装置を、撮影手段による撮影動画を記録する動画記録手段と、動画記録手段による動画の記録の終了を要求する終了要求手段と、要求のタイプを判定する要求タイプ判定手段と、判定された要求のタイプが特定の要求タイプである場合に所定の条件が満たされるか否かを判定する条件判定手段とを備える構成とする。この構成において、動画記録手段は、条件判定手段により所定の条件が満たされると判定された場合に動画の記録を終了することなく継続する。【選択図】図２
2016149684.tif 000002
【特許請求の範囲】
【請求項１】
撮影手段による撮影動画を記録する動画記録手段と、
前記動画記録手段による動画の記録の終了を要求する終了要求手段と、
前記要求のタイプを判定する要求タイプ判定手段と、
前記判定された要求のタイプが特定の要求タイプである場合に所定の条件が満たされるか否かを判定する条件判定手段と、
を備え、
前記動画記録手段は、
前記条件判定手段により所定の条件が満たされると判定された場合に前記動画の記録を終了することなく継続する、
動画記録装置。
【請求項２】
前記特定の要求タイプは、
前記撮影手段による動画の撮影と前記動画記録手段による動画の記録の少なくとも一方を継続することができない又は正常に継続することが保障できない非継続状態に遷移したときに、該動画の記録の終了を要求するタイプである、
請求項１に記載の動画記録装置。
【請求項３】
前記所定の条件は、
前記非継続状態に遷移してから一定時間内に、前記撮影手段による動画の撮影及び前記動画記録手段による動画の記録が正常に継続される状態に復帰することである、
請求項２に記載の動画記録装置。
【請求項４】
前記一定時間は、
前記非継続状態の内容に応じて長さが異なる、
請求項３に記載の動画記録装置。
【請求項５】
前記一定時間は、
前記電源の状態を確認する周期又は所定の動画記録単位に応じた時間である、
請求項３又は請求項４に記載の動画記録装置。
【請求項６】
前記非継続状態は、
電源がオフされた状態、該電源の電圧が所定値以下に低下した状態、該電源を供給する電源供給部を収容する収容部の蓋が開かれた状態、前記動画記録手段により動画が記録される記録媒体を収容する収容部の蓋が開かれた状態、前記動画記録装置の本体部に対して着脱可能な撮影レンズが取り外された状態、又は外部の電源供給手段により給電又は充電が行われている状態である、
請求項２から請求項５の何れか一項に記載の動画記録装置。
【請求項７】
前記動画記録手段は、
前記終了要求手段による動画の記録の終了要求を受けた後に開始された所定数の動画記録単位の動画の記録が終了するまで動画の記録を継続し、
前記所定数の動画記録単位の動画の記録が終了するまでの間に前記条件判定手段により所定の条件が満たされると判定されなければ、前記終了要求を受けた時点で生成処理中であった動画記録単位までを含む動画を生成する、
請求項１から請求項６の何れか一項に記載の動画記録装置。
【請求項８】
前記条件判定手段により前記所定の条件が満たされるか否かが判定されるとき、前記動画記録手段による動画の記録を終了するかどうかを問うメッセージを表示する表示手段
を備える、
請求項１から請求項７の何れか一項に記載の動画記録装置。
【請求項９】
撮影手段による撮影動画を記録する動画記録手段と、
前記動画記録手段による動画の記録の終了を要求する終了要求手段と、
前記要求のタイプを判定する要求タイプ判定手段と、
を備え、
前記動画記録手段は、
前記要求タイプ判定手段により判定された要求のタイプが特定の要求タイプであって所定の条件が満たされる前に該要求が解除されると、前記動画の記録を終了することなく継続する、
動画記録装置。
【請求項１０】
撮影手段による撮影動画を記録するステップと、
前記動画の記録の終了を要求するステップと、
前記要求のタイプを判定するステップと、
前記判定された要求のタイプが特定の要求タイプである場合に所定の条件が満たされるか否かを判定するステップと、
前記所定の条件が満たされると判定された場合に前記動画の記録を終了することなく継続するステップと、
を含む、
動画記録方法。
【請求項１１】
撮影手段による撮影動画を記録するステップと、
前記動画の記録の終了を要求するステップと、
前記要求のタイプを判定するステップと、
前記判定された要求のタイプが特定の要求タイプであって所定の条件が満たされる前に該要求が解除されると、前記動画の記録を終了することなく継続するステップと、
を含む、
動画記録方法。
【発明の詳細な説明】
【技術分野】
【０００１】
本発明は、動画を記録することが可能な動画記録装置及び動画記録方法に関する。
【背景技術】
【０００２】
動画を記録することが可能な動画記録装置が知られている。この種の動画記録装置の具体的構成が、例えば特許文献１に記載されている。特許文献１に記載の動画記録装置は、圧縮動画データを記録可能な装置であり、例えば、録画スイッチがオンされると、その後に生成される動画記録単位の先頭画像から録画動作を開始し、録画スイッチがオフされても録画動作を直ぐには終了させず、録画スイッチがオフされた時点での動画記録単位の最後の画像まで録画した後に録画動作を終了する。
【先行技術文献】
【特許文献】
【０００３】
【特許文献１】特開平９−２３４０５号公報
【発明の概要】
【発明が解決しようとする課題】
【０００４】
特許文献１に例示される動画記録装置では、ユーザが録画動作を継続させたいのに誤って電源をオフするなど、録画動作中に誤操作が発生することによって録画動作が停止することがある。この種の誤操作によって録画動作が停止することにより、例えばユーザの意図する動画が得られないという問題が指摘される。
【課題を解決するための手段】
【０００５】
本発明の一実施形態に係る動画記録装置は、撮影手段による撮影動画を記録する動画記録手段と、動画記録手段による動画の記録の終了を要求する終了要求手段と、要求のタイプを判定する要求タイプ判定手段と、判定された要求のタイプが特定の要求タイプである場合に所定の条件が満たされるか否かを判定する条件判定手段とを備える。動画記録手段は、条件判定手段により所定の条件が満たされると判定された場合に動画の記録を終了することなく継続する。
【０００６】
本発明の一実施形態によれば、動画の記録の終了が要求された場合であっても所定の条件が満たされることによって動画の記録が継続する。例えば、ユーザが動画の記録を継続させたいのに誤って電源をオフするなど、動画記録中に誤操作した場合であっても動画の記録を終了させることなく継続させることが可能となる。
【０００７】
また、本発明の一実施形態において、特定の要求タイプは、例えば、撮影手段による動画の撮影と動画記録手段による動画の記録の少なくとも一方を継続することができない又は正常に継続することが保障できない非継続状態に遷移したときに、該動画の記録の終了を要求するタイプである。
【０００８】
また、本発明の一実施形態において、所定の条件は、例えば、非継続状態に遷移してから一定時間内に、撮影手段による動画の撮影及び動画記録手段による動画の記録が正常に継続される状態に復帰することである。
【０００９】
また、本発明の一実施形態において、所定の条件を規定する一定時間は、非継続状態の内容に応じて長さが異なっていてもよい。この一定時間は、例示的には、電源の状態を確認する周期又は所定の動画記録単位に応じた時間である。
【００１０】
また、本発明の一実施形態において、非継続状態は、例えば、電源がオフされた状態、該電源の電圧が所定値以下に低下した状態、該電源を供給する電源供給部を収容する収容部の蓋が開かれた状態、動画記録手段により動画が記録される記録媒体を収容する収容部の蓋が開かれた状態、動画記録装置の本体部に対して着脱可能な撮影レンズが取り外された状態、又は外部の電源供給手段により給電又は充電が行われている状態である。
【００１１】
また、本発明の一実施形態において、動画記録手段は、終了要求手段による動画の記録の終了要求を受けた後に開始された所定数の動画記録単位の動画の記録が終了するまで動画の記録を継続し、所定数の動画記録単位の動画の記録が終了するまでの間に条件判定手段により所定の条件が満たされると判定されなければ、終了要求を受けた時点で生成処理中であった動画記録単位までを含む動画を生成する構成であってもよい。
【００１２】
また、本発明の一実施形態に係る動画記録装置は、条件判定手段により所定の条件が満たされるか否かが判定されるとき、動画記録手段による動画の記録を終了するかどうかを問うメッセージを表示する表示手段を備える構成であってもよい。
【００１３】
また、本発明の一実施形態に係る動画記録装置は、撮影手段による撮影動画を記録する動画記録手段と、動画記録手段による動画の記録の終了を要求する終了要求手段と、要求のタイプを判定する要求タイプ判定手段とを備える。動画記録手段は、要求タイプ判定手段により判定された要求のタイプが特定の要求タイプであって所定の条件が満たされる前に該要求が解除されると、動画の記録を終了することなく継続する。
【００１４】
また、本発明の一実施形態に係る動画記録方法は、撮影手段による撮影動画を記録するステップと、動画の記録の終了を要求するステップと、要求のタイプを判定するステップと、判定された要求のタイプが特定の要求タイプである場合に所定の条件が満たされるか否かを判定するステップと、所定の条件が満たされると判定された場合に動画の記録を終了することなく継続するステップとを含む方法である。
【００１５】
また、本発明の一実施形態に係る動画記録方法は、撮影手段による撮影動画を記録するステップと、動画の記録の終了を要求するステップと、要求のタイプを判定するステップと、判定された要求のタイプが特定の要求タイプであって所定の条件が満たされる前に該要求が解除されると、動画の記録を終了することなく継続するステップとを含む方法である。
【発明の効果】
【００１６】
本発明の一実施形態に係る動画記録装置及び動画記録方法によれば、例えば、ユーザが動画の記録を継続させたいのに誤って電源をオフするなど、動画記録中に誤操作した場合であっても動画の記録を終了させることなく継続させることが可能である。そのため、ユーザの意図を反映させた動画を得ることが可能となる。
【図面の簡単な説明】
【００１７】
【図１】本発明の実施形態に係る撮影装置の構成を示すブロック図である。
【図２】本発明の実施形態に係る撮影装置が備えるシステムコントローラの制御下で実行される動画記録処理のフローチャートを示す図である。
【発明を実施するための形態】
【００１８】
以下、本発明の実施形態に係る動画記録装置を備える撮影装置について図面を参照しながら説明する。以下においては、本発明の一実施形態として、デジタル一眼レフカメラについて説明する。なお、動画記録装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、動画記録機能を有する別の形態の装置に置き換えてもよい。
【００１９】
［撮影装置１全体の構成］
図１は、本実施形態の撮影装置１の構成を示すブロック図である。図１に示されるように、撮影装置１は、システムコントローラ１００、操作部１０２、駆動回路１０４、撮影レンズ１０６、絞り１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２、ＬＣＤ１２４、ＲＯＭ（Read Only Memory）１２６、電源スイッチ１２８、電源制御部１３０及び送受信部１３２を備えている。なお、撮影レンズ１０６は複数枚構成であるが、図１においては便宜上一枚のレンズとして示す。
【００２０】
ユーザにより電源スイッチ１２８がオンされると、電源制御部１３０に備えられるバッテリから撮影装置１の各種回路に電源ラインを通じて電源供給が行われる。
【００２１】
システムコントローラ１００は、ＣＰＵ（Central Processing Unit）及びＤＳＰ（Digital Signal Processor）を含む。システムコントローラ１００は電源供給後、ＲＯＭ１２６にアクセスして制御プログラムを読み出してワークエリア（不図示）にロードし、ロードされた制御プログラムを実行することにより、撮影装置１全体の制御を行う。
【００２２】
操作部１０２には、レリーズスイッチ、撮影モードスイッチ、録画スイッチなど、ユーザが撮影装置１を操作するために必要な各種スイッチが含まれる。
【００２３】
レリーズスイッチが押される（又はリモコン等より送信された静止画撮影用の制御信号が送受信部１３２を介して受信される）と、システムコントローラ１００は、例えば、固体撮像素子１１２により撮像された画像に基づいて計算された測光値や、撮影装置１に内蔵された露出計（不図示）で測定された測光値に基づき適正露出が得られるように、駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ優先ＡＥ、絞り優先ＡＥなど、撮影モードスイッチにより指定されるＡＥ機能に基づいて行われる。また、システムコントローラ１００はＡＥ制御と併せてＡＦ（Autofocus）制御を行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。システムコントローラ１００は、ＡＦ結果に基づいて駆動回路１０４を介して撮影レンズ１０６を駆動制御し、撮影レンズ１０６の焦点を調整する。なお、この種のＡＥ及びＡＦの構成及び制御については周知であるため、ここでの詳細な説明は省略する。
【００２４】
被写体からの光束は、撮影レンズ１０６、絞り１０８、シャッタ１１０を通過して固体撮像素子１１２の受光面にて受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００２５】
信号処理回路１１４は、固体撮像素子１１２より入力される画像信号に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えばクランプ）しか施されないＲＡＷ形式であってもよい。
【００２６】
カード用インタフェース１２０のカードスロットには、メモリカード２００が着脱可能に差し込まれている。画像処理エンジン１１６は、カード用インタフェース１２０を介してメモリカード２００と通信可能である。画像処理エンジン１１６は、生成された圧縮画像ファイルデータをメモリカード２００（又は撮影装置１に備えられる不図示の内蔵メモリ）に保存する。
【００２７】
画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画（ライブビュー）を、ＬＣＤ１２４の表示画面を通じて視認することができる。
【００２８】
また、録画スイッチが押される（又はリモコン等より送信された録画開始用の制御信号が送受信部１３２を介して受信される）と、画像処理エンジン１１６は、信号処理回路１１４より順次入力される画像信号をＭＰＥＧ２（Moving Picture Experts Group 2）等の所定のフォーマットに圧縮して圧縮動画ファイルデータを生成する。画像処理エンジン１１６は、生成された圧縮動画ファイルデータを、カード用インタフェース１２０を介してメモリカード２００（又は撮影装置１に備えられる不図示の内蔵メモリ）に保存する。なお、圧縮動画ファイルデータのファイルフォーマットは、ＭＰＥＧ２に限らず、例えばＭＰＥＧ４やモーションＪＰＥＧなど、他のファイルフォーマットであってもよい。
【００２９】
画像処理エンジン１１６は、ユーザにより撮影画像の再生操作が行われると、操作により指定された圧縮画像ファイルデータ（ＪＰＥＧ等）や圧縮動画ファイルデータ（ＭＰＥＧ２等）をメモリカード２００（又は内蔵メモリ）より読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、撮影された静止画や動画がＬＣＤ１２４の表示画面に表示される。
【００３０】
［動画記録フロー］
図２は、システムコントローラ１００の制御下で実行される動画記録処理（録画処理）のフローチャート（動画記録フロー）を示す。図２に示される動画記録フローは、録画スイッチが押された時点（又はリモコン等より送信された録画開始用の制御信号が送受信部１３２を介して受信された時点）で開始される。
【００３１】
［図２のＳ１１（動画の記録開始）］
本処理ステップＳ１１では、ＭＰＥＧ２フォーマットによる動画の記録が開始される。具体的には、画像処理エンジン１１６により、信号処理回路１１４より順次入力される画像信号が所定フレーム数毎に区切られて、ＧＯＰ（Group of Pictures）が生成される。ＧＯＰは、圧縮、再生、編集時の単位となる、連続した複数のフレームの画像信号から構成されるグループである。ＧＯＰ内の各フレームは、Ｉピクチャ、Ｐピクチャ、Ｂピクチャの何れかに振り分けられて圧縮符号化される。生成されたＧＯＰは、例えばメモリカード２００（又は撮影装置１に備えられる不図示の内蔵メモリ）に順次保存される。１ＧＯＰに対応する動画の長さは、フレームレート（ｆｐｓ）に応じて異なるが、例えば０．５秒である。この場合、１０秒の動画は、２０個のＧＯＰより構成される。
【００３２】
［図２のＳ１２（動画の記録終了要求の入力判定）］
本処理ステップＳ１２では、動画の記録終了要求を受けたか否かが判定される。
【００３３】
［図２のＳ１３（動画の記録終了要求のタイプの判定）］
本処理ステップＳ１３は、処理ステップＳ１２（動画の記録終了要求の入力判定）にて動画の記録終了要求を受けたと判定された場合（Ｓ１２：ＹＥＳ）に実行される。本処理ステップＳ１３では、動画の記録終了要求のタイプが特定の要求タイプか否かが判定される。
【００３４】
動画の記録終了要求のタイプには、特定の要求タイプと通常の要求タイプがある。特定の要求タイプとは、非継続状態に遷移したときに動画の記録終了を要求するタイプである。非継続状態とは、撮影装置１による動画の撮影と、メモリカード２００（又は撮影装置１に備えられる不図示の内蔵メモリ）への圧縮動画ファイルデータの保存、の少なくとも一方を継続することができない又は正常に継続することが保障できない状態である。
【００３５】
非継続状態には、例示的には、
（１）電源スイッチ１２８がオフされた状態、
（２）電源制御部１３０に備えられるバッテリの電圧が所定値以下に低下した状態、
（３）バッテリを収容する収容部の蓋が開かれた状態（より詳細には、蓋が開かれたことが検出された状態）、
（４）メモリカード２００を収容する収容部の蓋が開かれた状態（より詳細には、蓋が開かれたことが検出された状態）、
（５）撮影装置１の本体部（カメラボディ）に対して撮影レンズ（交換レンズ）１０６が取り外された状態（より詳細には、接点ピンとの通信（通電）結果に基づいて撮影レンズ１０６が取り外されたと判定された状態）、
（６）ＵＳＢ（Universal Serial Bus）ケーブル等の電源供給手段により給電又は充電されている状態、
などが挙げられる。なお、上記（２）には、充電残量の低下に伴う電圧降下状態だけでなく、例えば、駆動機構の動作時（例えばＡＦ機構や絞り１０８の動作時）や送受信部１３２を介した他端末との無線通信時に発生する一時的な電圧降下状態が含まれる。
【００３６】
通常の要求タイプとは、動画の記録終了を要求するタイプのうち特定の要求タイプ以外のタイプであり、撮影装置１による動画の撮影及びメモリカード２００（又は撮影装置１に備えられる不図示の内蔵メモリ）への圧縮動画ファイルデータの保存が正常に継続する状態でありつつも動画の記録終了を要求するタイプである。
【００３７】
通常の要求タイプには、例示的には、
（１）動画記録中に録画スイッチが押されたことにより動画の記録終了を要求するタイプ、
（２）動画記録中にリモコン等より送信された録画終了用の制御信号が送受信部１３２を介して受信されたことにより動画の記録終了を要求するタイプ、
（３）動画記録中に静止画再生モードなど、他のモードに遷移したことに伴い動画の記録終了を要求するタイプ、
が挙げられる。
【００３８】
［図２のＳ１４（動画の記録終了条件の有無の判定）］
本処理ステップＳ１４は、処理ステップＳ１３（動画の記録終了要求のタイプの判定）にて動画の記録終了要求のタイプが特定の要求タイプであると判定された場合（Ｓ１３：ＹＥＳ）に実行される。本処理ステップＳ１４では、動画の記録終了条件が設定されているか否かが判定される。
【００３９】
［図２のＳ１５（動画の記録終了条件の設定）］
本処理ステップＳ１５は、処理ステップＳ１４（動画の記録終了条件の有無の判定）にて動画の記録終了条件が設定されていないと判定された場合（Ｓ１４：ＮＯ）に実行される。本処理ステップＳ１５では、動画の記録終了条件が設定される。ここで設定される記録終了条件は、例えば、「処理ステップＳ１２（動画の記録終了要求の入力判定）にて動画の記録終了要求を受けたと判定されてから一定時間経過するまでに該記録終了要求が解除されないこと」である。
【００４０】
記録終了条件にて規定される一定時間は、例示的には、
（１）ｎ秒間（ｎは正数）、
（２）電源スイッチ１２８の確認周期にｎ’を乗算した時間（ｎ’は正の整数）、
（３）１ＧＯＰに対応する動画時間にｎ”を乗算した時間（ｎ”は正の整数）、
が挙げられる。補足すると、電源制御部１３０は、電源スイッチ１２８がオフされた時に電源を切断するため、電源スイッチ１２８の状態（オン／オフ）を定期的に確認する。この周期が上記（２）の確認周期である。
【００４１】
［図２のＳ１６（動画の記録終了条件の判定）］
本処理ステップＳ１６は、処理ステップＳ１４（動画の記録終了条件の有無の判定）にて動画の記録終了条件が設定されていると判定された場合（Ｓ１４：ＹＥＳ）に、又は処理ステップＳ１５（動画の記録終了条件の設定）にて動画の記録終了条件が設定された後に実行される。本処理ステップＳ１６では、動画の記録終了条件が満たされたか否かが判定される。
【００４２】
［図２のＳ１７（圧縮動画ファイルデータの生成）］
本処理ステップＳ１７は、処理ステップＳ１３（動画の記録終了要求のタイプの判定）にて動画の記録終了要求のタイプが特定の要求タイプでない、すなわち通常の要求タイプであると判定された場合（Ｓ１３：ＮＯ）に、又は処理ステップＳ１６（動画の記録終了条件の判定）にて動画の記録終了条件が満たされると判定された、すなわち処理ステップＳ１２（動画の記録終了要求の入力判定）にて動画の記録終了要求を受けたと判定されてから一定時間経過するまでに該記録終了要求が解除されなかった場合（Ｓ１６：ＹＥＳ）に実行される。本処理ステップＳ１７では、例えば、現在処理中のフレームが属するＧＯＰの生成が完了するまで動画の記録が継続され、次いで、生成された各ＧＯＰが１つの動画としてまとめられてファイル化されて、圧縮動画ファイルデータが生成される。
【００４３】
［図２のＳ１８（動画の記録終了条件の有無の判定）］
処理ステップＳ１６（動画の記録終了条件の判定）にて動画の記録終了条件が満たされていないと判定された場合（Ｓ１６：ＮＯ）、本フローは、処理ステップＳ１２（動画の記録終了要求の入力判定）に戻る。処理ステップＳ１２〜Ｓ１６は、基本的に、処理ステップＳ１６（動画の記録終了条件の判定）にて動画の記録終了条件が満たされると判定されるまで、すなわち処理ステップＳ１２（動画の記録終了要求の入力判定）にて動画の記録終了要求を受けたと判定されてから一定時間経過するまでループする。但し、一定時間が経過する前に該記録終了要求が解除されると、動画の記録終了要求の入力が無くなることから、処理ステップＳ１２（動画の記録終了要求の入力判定）の判定がＮＯ判定となり、本フローは、本処理ステップＳ１８に進む。
【００４４】
ここで、動画の記録終了要求は、所定の解除条件を満たすことによって解除される。本実施形態において、所定の解除条件とは、非継続状態に遷移してから（処理ステップＳ１２（動画の記録終了要求の入力判定）にて動画の記録終了要求を受けたと判定されてから）一定時間内に、撮影装置１による動画の撮影及びメモリカード２００（又は撮影装置１に備えられる不図示の内蔵メモリ）への圧縮動画ファイルデータの保存が正常に継続される状態に復帰すること、である。
【００４５】
所定の解除条件は、遷移した非継続状態の内容に応じて異なる。下記に、各解除条件を列記する。
（１）非継続状態：電源スイッチ１２８がオフされた状態
（解除条件）
非継続状態に遷移してから一定時間内に電源スイッチ１２８をオンする。
（２）非継続状態：電源制御部１３０に備えられるバッテリの電圧が所定値以下に低下した状態
（解除条件）
非継続状態に遷移してから一定時間内にバッテリの電圧が所定値よりも高い値に戻る。補足すると、バッテリの電圧は、例えば駆動機構の動作時や無線通信時に所定値以下に低下することがある。但し、この種の電圧降下は一時的である。従って、この場合、バッテリの電圧は、典型的には、一定時間経過する前に所定値よりも高い値に戻る。
（３）非継続状態：バッテリを収容する収容部の蓋が開かれた状態
（解除条件）
非継続状態に遷移してから一定時間内にバッテリを収容する収容部の蓋を閉じる。
（４）非継続状態：メモリカード２００を収容する収容部の蓋が開かれた状態
（解除条件）
非継続状態に遷移してから一定時間内にメモリカード２００を収容する収容部の蓋を閉じる。
（５）非継続状態：撮影装置１の本体部に対して撮影レンズ１０６が取り外された状態
（解除条件）
非継続状態に遷移してから一定時間内に撮影レンズ１０６を撮影装置１の本体部に装着する。
（６）非継続状態：ＵＳＢケーブル等の電源供給手段により給電又は充電されている状態
（解除条件）
非継続状態に遷移してから一定時間内にＵＳＢケーブル等の電源供給手段の接続を解除して給電又は充電を停止させる。
【００４６】
各解除条件を規定する「一定時間」は、非継続状態の内容に応じて適宜変更されてもよい。例えば、「（５）非継続状態：撮影装置１の本体部に対して撮影レンズ１０６が取り外された状態」の場合、他の場合と比べて解除条件を満たすために必要な時間が長いものと考えられる。そのため、「（５）非継続状態：撮影装置１の本体部に対して撮影レンズ１０６が取り外された状態」の場合、「一定時間」が他の場合と比べて長く設定されてもよい。
【００４７】
本処理ステップＳ１８では、動画の記録終了条件が設定されているか否かが判定される。動画の記録終了条件が設定されていないと判定された場合（Ｓ１８：ＮＯ）、本フローは、処理ステップＳ１２（動画の記録終了要求の入力判定）に戻る。
【００４８】
［図２のＳ１９（動画の記録終了条件のクリア）］
本処理ステップＳ１９は、処理ステップＳ１８（動画の記録終了条件の有無の判定）にて動画の記録終了条件が設定されていると判定された場合（Ｓ１８：ＹＥＳ）に実行される。本処理ステップＳ１９では、処理ステップＳ１５（動画の記録終了条件の設定）にて設定された動画の記録終了条件がクリアされる。次いで、本フローは、処理ステップＳ１２（動画の記録終了要求の入力判定）に戻り、動画の記録が継続する。
【００４９】
なお、処理ステップＳ１２（動画の記録終了要求の入力判定）にて動画の記録終了要求を受けたと判定されてから一定時間経過するまで又は記録終了要求が解除されるまで、動画の記録を本当に終了させてもよいかどうかをユーザに問うメッセージをＬＣＤ１２４の表示画面に表示させてもよい。
【００５０】
このように、本実施形態によれば、動画の記録終了要求が発生した場合であっても所定の条件が満たされることにより該記録終了要求が解除されて、動画の記録が継続する。一例として、ユーザが動画の記録を継続させたいのに誤って電源スイッチ１２８をオフするなど、動画記録中に誤操作した場合であっても、一定時間内に電源スイッチ１２８をオンすることで、動画の記録を終了させることなく継続させることができる。
【００５１】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００５２】
上記の実施形態では、現在処理中のフレームが属するＧＯＰの生成が完了するまで動画の記録が継続され、次いで、生成された各ＧＯＰが１つの動画としてまとめられてファイル化されて、圧縮動画ファイルデータが生成されるが、本発明はこれに限らない。一例として、動画の記録は、処理ステップＳ１２（動画の記録終了要求の入力判定）にて動画の記録終了要求を受けたと判定された後に開始されたｍ（ｍは正の整数）個のＧＯＰの生成が完了するまで継続される。そして、ｍ個のＧＯＰが完了するまでの間に所定の解除条件が満たされると判定されなければ、ｍ個のＧＯＰまでを含む動画ではなく、該記録終了要求を受けた時点で生成処理中であったＧＯＰまでを含む動画がファイル化されて、圧縮動画ファイルデータが生成される。この例によれば、解除条件が満たされるか否かを判定するための時間が確保されつつ、動画の終了点が記録終了要求を受けた時点に近くなることから、ユーザの意図をより一層反映させた動画が得られる。
【００５３】
また、上記の実施形態では、特定の要求タイプや通常の要求タイプの内容が予め決められているが、別の実施形態では、特定の要求タイプや通常の要求タイプの内容をユーザが個別に設定できるようにしてもよい。一例として、上記の実施形態では、通常の要求タイプとして、動画記録中に録画スイッチが押されたことにより動画の記録終了を要求するタイプがある。この一方で、ユーザによっては、録画スイッチを押して動画の記録を終了させた直後に動画の記録を継続しておきたかった等の状況がしばしば発生する可能性がある。そこで、別の実施形態では、録画スイッチによる動画の記録終了を要求するタイプを特定の要求タイプに設定変更可能とする。これにより、かかる状況が発生した際、非継続状態に遷移してから（録画スイッチが押されてから）一定時間内に録画スイッチが再度押されると、動画の記録が継続されるため、ユーザの意図をより一層反映することが可能となる。
【符号の説明】
【００５４】
１  撮影装置
１００  システムコントローラ
１０２  操作部
１０４  駆動回路
１０６  撮影レンズ
１０８  絞り
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
１２８  電源スイッチ
１３０  電源制御部
１３２  送受信部
２００  メモリカード
【図１】
2016149684.tif 000003
【図２】
2016149684.tif 000004